(57)【要約】【課題】  パターンが遊技者の目にとまって違和感を与えてしまうという固定観念を払拭して、透明などの光透過性を有する配線基板を用いた場合に、光透過性であるが故のメリットを最大限に引き出して遊技機の装飾演出を実施することができる遊技機の装飾構造を提供する。【解決手段】  遊技機１の装飾に用いられる装飾構造１８であって、遊技者が視認可能な所定位置に設けられ、導体パターン或いは塗料・印刷インクなどによって装飾模様Ｐが形成された光透過性を有する配線基板４０と、配線基板４０を照射して装飾模様Ｐを際立たせる発光手段と、を備えることを特徴とする。【選択図】  図５
2010110551.tif 000002
【特許請求の範囲】
【請求項１】
遊技機の装飾に用いられる装飾構造であって、
遊技者が視認可能な所定位置に設けられ、導体パターン或いは塗料・印刷インクなどによって装飾模様が形成された光透過性を有する配線基板と、
前記配線基板を照射して前記装飾模様を際立たせる発光手段と、
を備えることを特徴とする遊技機の装飾構造。
【請求項２】
前記発光手段は、前記配線基板の後方側に配置された後方側発光手段を含み、
その後方側発光手段が該配線基板を照射することにより、前記装飾模様の周囲が発光して該装飾模様を浮かび上がらせる請求項１に記載の遊技機の装飾構造。
【請求項３】
前記後方側発光手段は、前記配線基板の後面側に実装される後方側発光部と、前記後方側発光部の後方側に配置されるリフレクタとを有し、
前記後方側発光部が前記リフレクタに向けて発光し、該リフレクタがその光を反射して前記配線基板を照射する請求項２に記載の遊技機の装飾構造。
【請求項４】
前記発光手段は、前記配線基板の前方側に配置された前方側発光手段を含み、
その前方側発光手段が該配線基板を照射することにより、反射する形態で前記装飾模様が発光して浮かび上がる請求項１ないし３のいずれか１項に記載の遊技機の装飾構造。
【請求項５】
前記前方側発光手段は、前記配線基板の前面側に実装される前方側発光部を有する請求項４に記載の遊技機の装飾構造。
【請求項６】
請求項１ないし５のいずれか１項に記載の装飾構造を用いた遊技機。
【発明の詳細な説明】
【技術分野】
【０００１】
本発明は、遊技機の装飾構造及びそれを用いた遊技機に関する。
【背景技術】
【０００２】
従来の遊技機には、遊技領域の中央に配置されるセンターユニットにおいて、液晶表示器の表示領域の周囲に所定の役物装置や装飾装置などが設けられており、通常、それら役物装置や装飾装置が、駆動装置によって所定の動作で可動したり、発光部が実装されたプリント基板（配線基板）が配置されて、その発光部が光を発したりするなど、液晶表示器の表示領域に表示される映像や画像とともに、遊技者に対して興趣を高めるために様々な装飾演出が行われている。
【０００３】
【特許文献１】特開２００８−２１２１６３号公報
【０００４】
特許文献１に記載のぱちんこ遊技機は、液晶表示器の表示領域の周囲に、肉厚の薄い透明な合成樹脂フィルムで形成されて発光部を実装したプリント基板（薄肉透明板）が設けられており、そのプリント基板は、発光部に電力を供給するパターンの表面を覆い被さるように桜の木をモチーフとした幹、枝が有色塗料で塗装され、そのパターンがモチーフによってカムフラージュされている。そして、ぱちんこ遊技機において、プリント基板（薄肉透明板）をカバー部材などで覆わなくてもパターンを遊技者に視認困難として、液晶表示器の表示領域に表示される画像と、実装された発光部が発した光とで奥行き感を持たせた演出を行うようにしたものである。また、プリント基板（薄肉透明板）には、発光部を覆い被さるように桜の花をモチーフとした桜の花部材が接着されており、発光部が発した光により桜の花部材が発光している状態を作り出すようにしている。
【発明の開示】
【発明が解決しようとする課題】
【０００５】
しかしながら、透明な合成樹脂フィルムを使用したプリント基板を用いて、有色塗料で塗装したモチーフによって発光部に電力を供給するパターンをカムフラージュする形態は、パターンを視認困難とするという観点において、透明でない通常のプリント基板自身を桜の木をモチーフとした幹や枝の形状とする形態と余り大差がなく、或いは、桜の木をモチーフとした幹や枝の形状をなすカバー部材の後方に発光部を実装したプリント基板を配置する形態とも余り大差がない。むしろ製造工程や組み付け作業などが煩雑となって製造コストの増加に繋がる虞がある。さらには、有色塗料で塗装してパターンを覆い隠さなければ、パターンが遊技者の目にとまって違和感を与えてしまうということで、モチーフのデザイン形状においてもパターンによって制約を受けて設計の自由度が阻害されている。
【０００６】
本発明の課題は、上記実情に鑑みてなされたものであり、パターンが遊技者の目にとまって違和感を与えてしまうという固定観念を払拭して、透明などの光透過性を有する配線基板を用いた場合に、光透過性であるが故のメリットを最大限に引き出して遊技機の装飾演出を実施することができる遊技機の装飾構造を提供することにある。
【課題を解決するための手段】
【０００７】
上記課題を解決するために、本発明の遊技機の装飾構造は、
遊技機の装飾に用いられる装飾構造であって、
遊技者が視認可能な所定位置に設けられ、導体パターン或いは塗料・印刷インクなどによって装飾模様が形成された光透過性を有する配線基板と、
配線基板を照射して装飾模様を際立たせる発光手段と、
を備えることを特徴とする。
【０００８】
上記課題を解決するために、本発明の遊技機は、
以上のような装飾構造を用いたことを特徴とする。
【発明の効果】
【０００９】
上記本発明の遊技機の装飾構造及びそれを用いた遊技機によれば、光透過性を有する配線基板に導体パターン或いは塗料・印刷インクなどによって装飾模様を形成し、その配線基板を遊技者が視認可能な所定位置に設けている。そして、その配線基板を照射する発光手段によって装飾模様を際立たせることができる。これによれば、光透過性を有する配線基板に装飾模様を形成することで、発光手段が配線基板を照射したときに装飾模様以外の領域である光透過性領域を利用して、装飾模様を際立たせることができ、光透過性であるが故のメリットを最大限に引き出して遊技機の装飾演出を実施することができる。なお、ここでいう「光透過性」とは、少なくとも可視光の波長の領域の光を透過する性質のことであり、発光手段の光源が視認し得る状態又は発光手段の光源の光が視認し得る状態をなし得ることを示し、透明又は半透明の他に透過する光が拡散されるため、又は透過率が低いために、その材質を通して向こう側の形状等を明確に認識できない、又はまったく認識できない状態のものも含む。
【００１０】
ここで、装飾模様は、発光手段によって一層際立つように非光透過性であることが好ましい。また、装飾模様は、文字や図形、記号などを装飾模様として形成することができる。特に、装飾模様を方形、三角形、菱形、多角形、円形などを組み合わせた幾何学的模様とする場合には、配線パターンを通常のライン形態で無理なくそのまま装飾模様の中に組み込むことができる。さらには、配線基板が配置される所定の装飾装置に形成されたキャラクター的な形状や模様にあわせて配線基板の装飾模様を形成し、そのキャラクターと同調する形で装飾模様を際立たせることで装飾演出をより高めることができる。
【００１１】
装飾構造の具体的な態様の第１として、
発光手段は、配線基板の後方側に配置された後方側発光手段を含み、
その後方側発光手段が該配線基板を照射することにより、装飾模様の周囲が発光して該装飾模様を浮かび上がらせる構成とすることができる。これによれば、後方側発光手段が発光して配線基板を後方側から照射すると、装飾模様の部分が後方側発光手段からの光を遮る遮蔽領域となり、前方から遊技者が配線基板を視認したときに、装飾模様が浮き上がった様に見せる装飾演出が可能となる。
【００１２】
また、後方側発光手段は、配線基板の後面側に実装される後方側発光部と、後方側発光部の後方側に配置されるリフレクタとを有し、
後方側発光部がリフレクタに向けて発光し、該リフレクタがその光を反射して配線基板を照射する構成とすることができる。これによれば、配線基板の後面側に後方側発光部が実装されているので、別途発光手段（発光基板）を設ける必要がなくなって部品点数の削減となり、コストの低減や組立作業の簡素化を図ることができる。そして、後方側発光部の後方側にリフレクタが配置されているので、後方側発光部の光がリフレクタの反射や拡散によって点発光を軽減して面的に均一状態で明るさのムラのない発光（反射）が可能となり、配線基板とリフレクタとの間隔を小さくすることができ、薄型化や省スペース化を図ることができる。
【００１３】
装飾構造の具体的な態様の第２として、
発光手段は、配線基板の前方側に配置された前方側発光手段を含み、
その前方側発光手段が該配線基板を照射することにより、反射する形態で装飾模様が発光して浮かび上がる構成とすることができる。これによれば、前方側発光手段が発光して配線基板を前方側から照射すると、装飾模様以外の領域である光透過性領域では光を後方側に透過するのに対して、装飾模様の部分では光を透過せず反射する形態で発光することとなり、前方から遊技者が配線基板を視認したときに、装飾模様が浮き上がった様に見せる装飾演出が可能となる。
【００１４】
また、前方側発光手段は、配線基板の前面側に実装される前方側発光部を有する構成とすることができる。これによれば、配線基板の前面側に前方側発光手段が実装されているので、別途発光手段（発光基板）を設ける必要がなくなって部品点数の削減となり、コストの低減や組立作業の簡素化を図ることができる。ひいては、装飾模様と発光手段とが配線基板に一緒に設けられるので、装飾模様に対して発光手段を近接して配置することが可能となり、効率よく装飾模様を発光させることができる。なお、配線基板に実装される前方側発光手段としては、サイドビュータイプ（側面発光タイプ）の発光ダイオード（ＬＥＤ）を好適に用いることができる。
【００１５】
さらに、装飾構造は、上記した態様の第１と第２とを組み合わせた構造とすることができる。すなわち、発光手段は、配線基板の後方側に配置される後方側発光手段と、配線基板の前方側に配置される前方側発光手段とを含み、
後方側発光手段が該配線基板を照射することにより、装飾模様の周囲が発光する一方、前方側発光手段が該配線基板を照射することにより、反射する形態で装飾模様を発光して浮かび上がらせる構成とすることができる。
【００１６】
これによれば、後方側発光手段が発光する発光色と前方側発光手段が発光する発光色とを異なる発光色で発光させた場合には、配線基板全体を色鮮やかに装飾演出した中で装飾模様を際立たせることができる。反対に、後方側発光手段が発光する発光色と前方側発光手段が発光する発光色とを同じ発光色で発光させた場合には、装飾模様が紛れて視認困難な状態となり、配線基板全体を一つの発光色で発光させることができる。
【発明を実施するための最良の形態】
【００１７】
以下に、この発明の実施形態を図面を参照しつつ説明する。図１は本発明の実施形態に係る遊技機の一例を示す正面図、図２はスピーカの一例を示す正面図及び断面図、図３は図２のスピーカの分解斜視図、図４は配線基板の一例を示す正面図及び背面図、図５は本発明の実施形態に係る装飾構造の概念説明図１、図６は本発明の実施形態に係る装飾構造の概念説明図２、図７は図５及び図６におけるスピーカの発光状態を示す正面図である。
【００１８】
図１に示すように、遊技機１（以下、ぱちんこ機１ともいう）には、外枠、内枠、前面枠などからなる枠体１ａに遊技盤２が取り付けられている。この遊技盤２の盤面２ａ（前面）には、内外の２本のガイドレール２ｂによって区画された略円形の遊技領域２ｃが形成されている。そして、遊技領域２ｃの中央には、液晶表示部２ｄが搭載され、その液晶表示部２ｄの下方（遊技領域２ｂの中央下部）に大入賞装置２ｅが配置されている。また、液晶表示部２ｄと大入賞装置２ｅとの間には、始動入賞装置２ｆが配置されている。
【００１９】
また、ぱちんこ機１には、枠体１ａの前面側の遊技盤２の下方に遊技球を貯留する球受皿３が配置されている。また、ぱちんこ機１には、その球受皿３に貯留された遊技球を図示しない球発射装置が遊技盤２（遊技領域２ｃ）内に発射する際に遊技者が操作する発射ハンドル４や、タバコの灰皿５が配置されている。また、ぱちんこ機１は、枠体１ａの前面側の上側両隅にスピーカ６，６が遊技者が視認可能な状態で配置されている。すなわち、スピーカ６，６に対応する枠体１ａの前面枠の上側両隅が透明に形成されている。
【００２０】
なお、本明細書において、ぱちんこ機１における上下方向とは遊技盤２の盤面２ａに沿う態様で遊技球が流下する方向（鉛直方向）を意味する。また、左右方向とは遊技盤２の盤面２ａに沿う態様で上下方向に直交する方向（水平方向）を意味する。また、前後方向とは遊技盤２の盤面２ａに直交する方向（水平方向）を意味し、盤面２ａの遊技者側が前側であり、盤面２ａの奥側が後側である。
【００２１】
スピーカ６は、図２及び図３に示すように、リード線１０の一端をハンダ付けした円筒状のボイスコイル１１と、このボイスコイル１１を軸線方向に振動可能に支持するダンパー１２と、ボイスコイル１１によって駆動され音波を発生する振動体としての略円錐形状（コーン型）の振動板１３と、ボイスコイル１１を配置する磁気ギャップを形成するための磁気回路部１６と、その磁気回路部１６及びダンパー１２，振動板１３のエッジを所定の位置に支持するフレーム２０とで大略構成され、ボイスコイル１１の先端を閉塞するセンターキャップ１５と、振動板１３を挟んでフレーム２０へ固着される環状のガスケット１４と、音声電流の入力端子１７とを備えている。そして、スピーカ６は、フレーム２０の後方に装飾構造１８としてレンズ３０、配線基板４０及びリフレクタ５０などを備えることによりスピーカーユニットとして構成されている。
【００２２】
ダンパー１２は、フェノール樹脂等の熱可塑性樹脂を含浸させた綿布，不織布等からなる素材に波形のコルゲーションを同心円状に形成している。
【００２３】
振動板１３は、ポリプロピレン（ＰＰ），ポリカーボネイト（ＰＣ），ポリエチレンテレフタレート（ＰＥＴ）等の光透過性樹脂（例えば、透明）により先端のエッジで開口し中心に通孔が開設された略円錐形状に形成されている。なお、振動板１３は、円錐形をしたものだけでなく、正面視して楕円，多角形状のものあるいはドーム型，平面型のものであってもよい。
【００２４】
フレーム２０は、ポリプロピレン（ＰＰ），ポリカーボネイト（ＰＣ），ポリエチレンテレフタレート（ＰＥＴ）等の光透過性樹脂により、例えば透明に形成されている。また、フレーム２０は、本実施形態において光透過性樹脂により音波発生方向に拡開放する略円錐台形の深皿形状に形成されており、その開口周縁部には振動板１３を保持するガスケット１４が支持されるフランジ部２１を有している。つまり、フレーム２０は振動板１３より大径であり、振動板１３の外方に位置するフランジ部２１が直接視認可能となる。また、円錐面には振動板１３が音を発生する時の背圧を抜く台形状の開口部２３が所定間隔で放射状に設けられた架橋部２２によって形成されている。そして、フランジ部２１には、厚さ１ｍｍ程度の基板に、リード線１０の他端が接続された厚さ０．５ｍｍ程度の薄い金属板からなるプラスとマイナスの端子部を取り付けた入力端子１７を固定する取付部２４が形成されている。
【００２５】
また、フレーム２０の底面には磁気回路部１６が嵌着される装着部２５が円筒状に形成されおり、磁気回路部１６をその軸線がダンパー１２の軸線と一致するように圧接して嵌着保持する。そして、磁気回路部１６は、断面ほぼＵ字状のヨーク１６ａと、このヨーク１６ａ上に設けられたマグネット１６ｂと、その上に設けられたポールピース１６ｃとを備え、ポールピース１６ｃの外周面と、ヨーク１６ａの上方内周面との間に環状の磁気ギャップが形成されている。
【００２６】
なお、本実施形態においてガスケット１４，センターキャップ１５は、フレーム２０及び振動板１３と同様にポリプロピレン（ＰＰ），ポリカーボネイト（ＰＣ），ポリエチレンテレフタレート（ＰＥＴ）等の光透過性樹脂により形成することができる。つまり、装飾構造１８の前方に位置してスピーカ６を構成するダンパー１２及びリード線１０、ボイスコイル１１、磁気回路部１６以外はすべて少なくとも可視光の波長の領域の光を透過する光透過性樹脂により形成されており、ダンパー１２の外周方向に位置して設けられる装飾構造１８が視認可能となる。なお、ダンパー１２をいわゆる平ダンパーで形成し、同様に光透過性樹脂により形成した場合には、さらに視認可能領域を拡大することができる。
【００２７】
次に、装飾構造１８について説明する。装飾構造１８は、ぱちんこ機１の装飾に用いることができ、本実施形態ではその一例としてスピーカ６に採用したものである。装飾構造１８は、上述のようにレンズ３０、配線基板４０及びリフレクタ５０を含み構成され、特に、配線基板４０は、遊技者が視認可能な所定位置に設けられ、導体パターン或いは塗料・印刷インクなどによって装飾模様Ｐが形成されて光透過性を有し形成されている。そして装飾構造１８は、その配線基板４０を照射して装飾模様Ｐを際立たせる発光手段を備えている。
【００２８】
ここで、発光手段は、配線基板４０の後方側に配置された後方側発光手段と、配線基板４０の前方側に配置された前方側発光手段とを含み構成されている。すなわち、後方側発光手段は、配線基板４０の後面側に実装される後方側発光部４４と、その後方側発光部４４の後方側に配置されるリフレクタ５０とを有しており、後方側発光部４４がリフレクタ５０に向けて発光し、該リフレクタ５０がその光を反射して配線基板４０を照射することにより、装飾模様Ｐの周囲が発光して該装飾模様Ｐを浮かび上がらせることができる。
【００２９】
また、前方側発光手段は、配線基板４０の前面側に実装される前方側発光部４３を有し、その前方側発光部４３が配線基板４０を照射することにより、反射する形態で装飾模様Ｐが発光して浮かび上がらせることができる。以下、具体的に説明する。
【００３０】
配線基板４０は、図３及び図４に示すように、例えば、銅箔を含み無色透明なポリイミドによって形成される銅張板（シート）に銅箔をエッチングした後、レジストとして同ポリイミドをラミネートすることにより、銅箔を無色透明なポリイミドによって挟み込むように形成した透明フレキシブル基板を用いることができる。また、配線基板４０は、展開状態において、ドーナツ形状を一部切欠いたＣ字状の本体シート部４１と、その本体シート部４１の外周から半径方向に延出された帯状の延出シート部４２とを備えている。そして、配線基板４０には、本体シート部４１に前面（表面）に実装された前方側発光部４３（図４（ａ）参照）と、及び後面（裏面）に実装された後方側発光部４４とがそれぞれ６つずつ、周方向に等間隔となる位置に配置されている。また、延出シート部４２の端部の後面（裏面）側には、コネクタ部４５が実装されている。なお、前方側発光部４３は、側面方向に発光するサイドビュータイプの発光ダイオード（ＬＥＤ）が本体シート部４１の外周縁近傍に内側に向けて発光するように配置されており、後方側発光部４４は、上面方向に発光するトップビュータイプの発光ダイオード（ＬＥＤ）が本体シート部４１の内周縁近傍に配置されている。
【００３１】
また、配線基板４０は、装飾模様Ｐが、本体シート部４１に径方向に延びる幅広のライン形態をなして形成されている。すなわち、装飾模様Ｐは、前方側発光部４３が発する光の光軸に沿って形成されている。そして、装飾模様Ｐは、前方側発光部４３又は後方側発光部４４に電力を供給するための配線パターンの一部が面状の導体パターンとして形成されている。なお、装飾模様Ｐは、配線パターンとは別に、装飾模様Ｐ´のように配線パターンと離間して独立した位置に導体パターンで形成してもよく、また、塗料や印刷インクによって形成してもよい。
【００３２】
レンズ３０及びリフレクタ５０は、図２及び図３に示すように、フレーム２０の外観に沿うようにすり鉢形状を呈している。そして、配線基板４０は、本体シート部４１の両端を重ね合わせてすり鉢形状をなすように接着、或いはレンズ３０及びリフレクタ５０によって狭持するとともに、レンズ３０及びリフレクタ５０の間に配置固定される。このように、配線基板４０をフレキシブル基板によって形成することで、限られたスペースにおいても簡単に配置することができ、省スペース化及びコンパクト化を図ることができる。なお、レンズ３０は、配線基板４０が配置されたときに、前方側発光部４３が外周端面に対向配置される大きさで形成されている（図３参照）。また、レンズ３０は、前面又は後面にローレット，Ｖカットなどの凹凸表面加工を施すことができ、発光手段による光を反射、拡散して、演出効果を高めることができる。
【００３３】
リフレクタ５０は、前面に蒸着メッキを施して、後方側発光部４４が発する光を反射して装飾効果を向上させるようにしている。なお、リフレクタ５０は、白色樹脂により成形してもよく、内面に白色塗装を施してもよい。
【００３４】
次に装飾構造における作用について説明する。図５（ａ）に示すように、前方側発光部４３が発光して本体シート部４１（配線基板４０）を照射すると、レンズ３０の端面から光が入射するとともに、レンズ３０の後方に近接して配置された本体シート部４１に形成された装飾模様Ｐで前方に向けて反射する。このとき、装飾模様Ｐが形成されていない本体シート部４１（光透過性領域）では、そのまま光が本体シート部４１（配線基板４０）の後方に透過するため、図５（ｂ）に示すように、装飾模様Ｐが前方に発光する。したがって、図７（ａ）に示すように、センターキャップ１５を中心に装飾模様Ｐが放射状に発光し、かつ、装飾模様Ｐ´の図形が発光し、振動板１３などを介して遊技者が視認可能となる。
【００３５】
また、図６（ａ）に示すように、後方側発光部４４が発光するとリフレクタ５０の反射面に反射され、本体シート部４１における装飾模様Ｐの周囲（光透過性領域）では、そのまま光が前方に透過するとともに、装飾模様Ｐでは光が遮蔽されるため、図６（ｂ）に示すように、装飾模様Ｐの周囲が前方に発光する。したがって、図７（ｂ）に示すように、センターキャップ１５を中心に装飾模様Ｐが放射状に浮き上がり（言い換えれば、装飾模様Ｐによって放射状に区画された形で全体が発光している）、レンズ３０及び振動板１３などを介して遊技者が視認可能となる。すなわち、配線基板４０を介して振動板１３、フレーム２０のエッジ部を発光させることができ、スピーカ６としての装飾効果を向上させることができる。さらに、前方側発光部４３の発した光と、後方側発光部４４の発した光とによって、奥行き感を持たせた演出を行うことができる。
【００３６】
なお、図８に示すように、装飾模様Ｐが形成された配線基板４０とは別に、前方側発光手段として、前方側発光部４３Ａを実装した基板４３Ｂを配線基板４０の前方側に配置する構成としてもよく、また、後方側発光手段として、後方側発光部４４Ａを実装した基板４４Ｂを配線基板４０の後方側に配置する構成とすることもできる。これにより、配線基板４０を所定の電気部品などに接続する配線や中継基板として配置することも可能となり、装飾構造１８として同様の作用効果を奏することができる。
【００３７】
本発明では遊技機の一例としてぱちんこ機について説明したが、他に例えばアレンジボール遊技機、雀球遊技機、及び回胴式遊技機等の遊技機に適用することができ、上記実施例に限定されるものではなく、特許請求の範囲の趣旨を逸脱しない限りにおいて、目的、用途に応じて当業者の知識に基づく種々の変更が可能である。なお、近年ではアクリルなどの透明な遊技盤も使用されているため、その遊技盤の後方に設けられる装飾においても上記説明した装飾構造を用いることができ、きめ細かな装飾演出を実施することができる。また、配線基板４０を透明フレキシブル基板で説明したが、剛性を有する透明のリジット基板を用いることもできる。
【図面の簡単な説明】
【００３８】
【図１】本発明の実施形態に係る遊技機の一例を示す正面図。
【図２】スピーカの一例を示す正面図及び断面図。
【図３】図２のスピーカの分解斜視図。
【図４】配線基板の一例を示す正面図及び背面図。
【図５】本発明の実施形態に係る装飾構造の概念説明図１。
【図６】本発明の実施形態に係る装飾構造の概念説明図２。
【図７】図５及び図６におけるスピーカの発光状態を示す正面図。
【図８】別の実施形態に係る装飾構造の概念説明図。
【符号の説明】
【００３９】
１  ぱちんこ機（遊技機）
２  遊技盤
６  スピーカ
１２  振動板
２０  フレーム
３０  レンズ
４０  配線基板
４１  本体シート部
４２  延出シート部
４３  前方側発光部（前方側発光手段，発光手段）
４４  後方側発光部（後方側発光手段，発光手段）
５０  リフレクタ
Ｐ，Ｐ´  装飾模様
【図１】
2010110551.tif 000003
【図２】
2010110551.tif 000004
【図３】
2010110551.tif 000005
【図４】
2010110551.tif 000006
【図５】
2010110551.tif 000007
【図６】
2010110551.tif 000008
【図７】
2010110551.tif 000009
【図８】
2010110551.tif 000010